(57)【要約】【課題】  印刷装置のUIパネル上のプレビュー画面で出力画像を確認する場合にユーザが特徴部分を意識せずに抽出された部分を表示される出力装置を提供すること。【解決手段】  出力されるデータ内の特徴的な部分を像域情報として抽出する手段と当該抽出部分を検出した特徴が表現されるプレビュー表示を行う手段を有する構成。【選択図】  図３
2011088364.tif 000002
【特許請求の範囲】
【請求項１】
出力ページをプレビュー表示する機能であって、出力ページ上の画像について特徴的な部分を抽出する手段(S32)、抽出した該当部分に対して特徴を表示する手段(S34)、を有することを特徴とする出力装置。
【請求項２】
前記特徴的な部分を抽出する手段とは、各部分の像域情報から行う(S32)ことを特徴とする請求項１記載の出力装置。
【請求項３】
前記特徴部分を表示する手段とは、抽出した該当部分をプレビュー表示上で点滅させることで示す(S94)ことを特徴とする請求項１記載の出力装置。
【請求項４】
前記特徴的な部分を抽出する手段とは、RGBレンダラを使用したプレビュー画像とCMYKレンダラを使用した画像からRGB変換したプレビュー画像との差分から、ある閾値以上の差が検出された部分である(S135)ことを特徴とする請求項１記載の出力装置。
【請求項５】
前記特徴部分を表わす表示手段とは、RGBレンダラを使用して得られたプレビュー表示とCMYKレンダラを用いた画像からRGB変換して得られたプレビュー表示とを交互に表示する(S136)ことを特徴とする請求項４記載の出力装置。
【発明の詳細な説明】
【技術分野】
【０００１】
本発明は、出力装置システム、出力装置のプレビュー表示に関するものである。
【背景技術】
【０００２】
一般に、出力装置では実際の出力画像の確認用表示として、全体または一部をUI上の液晶ディスプレイ等の画面にプレビュー表示することを行っている。
【０００３】
従来のプレビュー表示では、プリフライトチェックとしてレイアウト項目のRIP後の該当部分をチェックする手段を施したものがある。例えば、特許文献１参照。
【先行技術文献】
【特許文献】
【０００４】
【特許文献１】特開2004-341568号公報
【発明の概要】
【発明が解決しようとする課題】
【０００５】
しかしながら、プレビュー表示する場合、出力画像の特徴部分をユーザが判断しその部分を拡大して参照したり描画結果がどのようになっているかユーザが特徴部分を自ら意識して確認するしかなかった。
【０００６】
また、CMYKレンダラに特化した特徴を有する場合、RGBレンダラを使用したプレビュー表示ではその特徴箇所を特定しづらいという問題があった。
【課題を解決するための手段】
【０００７】
本発明の目的は、前記問題点を解決するためのもので、出力画像の特徴ある部分を出力画像の像域情報から抽出する手段、抽出した部分を表示する手段、特徴部分を表す表示を行う手段を有する出力装置を提供することである。
【０００８】
また、本発明の目的は出力画像を異なるレンダラで生成したプレビュー画像の差分情報を抽出する手段、その抽出部分を表示する手段、特徴部分の表示を行う手段を有する出力装置を提供することである。
【発明の効果】
【０００９】
前記手段を用いることにより、従来はユーザが意識して確認しなければならなかったプレビュー表示の箇所をユーザが意識することなく出力画像の特徴部分が抽出され確認することが可能となる。
【００１０】
また、前記手段を用いることにより、異なるレンダラで生成した画像を比較した結果を表示することによりレンダラに依存した特徴部分が抽出され確認することが可能となる。
【図面の簡単な説明】
【００１１】
【図１】本発明の実施例を示す出力装置の構成を説明するブロック図である。
【図２】本発明の実施例を示す操作部の概略図である。
【図３】本発明の実施例１を示す出力装置の制御を説明するフロー図である。
【図４】本発明の実施例１の出力サンプルの例を示す図である。
【図５】本発明の実施例１の各版ごとの画像例を示す図である。
【図６】本発明の実施例１の像域情報の例を示す図である。
【図７】本発明の実施例１のプレビュー表示を示す図である。
【図８】本発明の実施例１のプレビュー表示を表す図である。
【図９】本発明の実施例２を示す出力装置の制御を説明するフロー図である。
【図１０】本発明の実施例２の出力サンプルの例を示す図である。
【図１１】本発明の実施例２のトナー載り量制限を示す図である。
【図１２】本発明の実施例２のプレビュー表示を表す図である。
【図１３】本発明の実施例３を示す出力装置の制御を説明するフロー図である。
【図１４】本発明の実施例３のRGBプレビュー画像を示す図である。
【図１５】本発明の実施例３のCMYKレンダラ画像を示す図である。
【図１６】本発明の実施例３のCMYK→RGBプレビュー画像を示す図である。
【図１７】本発明の実施例３の画像差があった箇所を示す図である。
【図１８】本発明の実施例３のプレビュー表示を表す図である。
【発明を実施するための形態】
【００１２】
（実施例１）
本実施例を説明する前に、本実施例を適用するに好適な複写機の構成について図１を参照しながら説明する。なお、本実施例を適用する複写機は、レーザビーム方式およびインクジェット方式に限られるものではなく、他のプリント方式の複写機でも良いことは言うまでもない。
【００１３】
図１は本発明の実施例を示す複写機のプリンタ制御システムの構成を説明するブロック図である。ここでは、複写機（図１）を例にして説明する。
【００１４】
図において、３０００はホストコンピュータである。ホストコンピュータはディスプレイ表示に使用するフォントデータの他にプリンタで使用するフォントをネットワークを介してプリンタに転送することが可能な構成となっている。
【００１５】
プリンタ１５００において、１２はプリンタＣＰＵで、ＲＯＭ１３のプログラム用ＲＯＭに記憶された制御プログラム等に基づいてシステムバス１５に接続される各種デバイスとのアクセスを総括的に制御する。印刷部インタフェース１６を介して接続される印刷部（プリンタエンジン）１７に出力情報としての画像信号を出力する。
【００１６】
ＨＤ１４は出力用のイメージデータ及びトナーの使用量を格納する記憶装置で、ディスクコントローラ（ＤＫＣ）２０によりアクセス制御される。
【００１７】
１９はＣＰＵ１２の主メモリ、ワークエリア等として機能するＲＡＭで、図示しない増設ポートに接続されるオプションＲＡＭによりメモリ容量を拡張することができるように構成されている。
【００１８】
４０００はスキャナ部で原稿から読み取った画像情報をデバイス入力部２１を介して取り込む。
【００１９】
操作部１５０１は各種操作を行うボタンと出力画像をプレビューとして表示できる液晶パネルを備える。
【００２０】
図２は操作部１５０１の例を示す構成図である。
【００２１】
図示しないPDLジョブの選択画面や格納データの一覧選択からプレビュー表示用のデータを選択し、液晶ディスプレイ上に各種プレビュー表示を行う。
【００２２】
図３は本実施例を説明するのに使用するフローチャート図である。
【００２３】
ステップS31において、
入力したPDLデータからインタプリタの解析を行いレンダリング処理を行って出力画像の生成を行う。
【００２４】
生成した画像データはHDD等の記憶装置に格納する。
【００２５】
前記レンダリング処理時にレンダリング画像と共に生成したそれぞれのオブジェクトの特徴を示すためのビット情報を像域フラグ情報として生成しHDD等の記憶装置に格納する。
【００２６】
ステップS32において、
ステップS31で格納した像域フラグ情報から画像の特徴部分を抽出する。
【００２７】
本例では黒単色のテキストをオーバープリントで描画する場合の特徴を検出する場合を示す。
【００２８】
図４の出力サンプルを例に説明すると、各種の色で描画されたオブジェクトに対して黒文字を描画する場合に版ずれ等による文字周りに出現する白枠を防止するために黒文字の背景にかかる部分のオブジェクトを抜かずに黒でオーバープリントするという機能である。
【００２９】
図５に示すようにC、M、Yの画像に対してKのテキスト画像を下になる画像を白く抜かずにオーバープリントを行う。この場合、オーバープリントの像域として図６に示す通りK版の黒テキスト部分がフラグビット情報として保持される。
【００３０】
ステップS33において、
ステップS32で抽出した画像の像域情報から描画特徴を表わすビット情報が像出力画像に含まれているかどうか判定する。
【００３１】
ステップS35において、
含まれていない場合は通常の通り全体のプレビュー表示を行い処理を終了する。
【００３２】
含まれていた場合は特徴部分の像域情報から座標位置を検出し、該当部分のみプレビュー表示を行う。
【００３３】
ステップS34において、
特徴部分が含まれていると判定された場合、図７に示す通り特徴部分を検出した箇所を拡大しプレビュー表示用の画像を生成する。
【００３４】
本実施例の場合、黒テキストのオーバープリントなので図8に示す通り実際に黒テキストの部分を数秒間の間を置いて点滅表示させてオーバープリント部分の該当箇所を示す。
【００３５】
（実施例２）
本実施例では、トナー載り量制御が発生した箇所を抽出する場合の例を示す。
【００３６】
CMYKのトナー量を組み合わせて色再現を行うカラー出力装置において、エンジンの定着性能などにより、用紙に載せるCMYKの載り量を実際の論理上の載り量より少なくしなければならないケースが発生する場合がある。
【００３７】
例えばCMYKのトナーが殆ど載ってしまうような混色ブラックの場合、理論上の載り量は、単色での最大載り量を１とするとCMYK合わせると4近くになってしまう。
【００３８】
ところが、前述した通りエンジンの定着性能などにより、実際には最大でも2色くらいまでしかトナーを載せられない場合がある。
【００３９】
この場合、色味はできるだけ再現性を保ちながらエンジンに対してコントローラ側で載り量制限をかけて全体で2色になるように制御する。この制御には様々なアルゴリズムで制限をかける方法があるがここでは特にその手法に関しては言及しない。
【００４０】
ただし、どんなに適切な制御方法であっても論理上の載り量とは違うので厳密には色再現が異なるため、その載り量制限がかかった箇所を知ることは有益である。
【００４１】
図９は本実施例を説明するのに使用するフローチャート図である。
【００４２】
ステップS91において、
出力画像生成を行い各ピクセルごとにトナーの載り量の情報を保持する。例えば、図１０のような出力サンプルの場合、各オブジェクトが重なった部分でトナーの載り量の制限を越えて実際の論理値よりトナーを制限している。
【００４３】
トナーの載り量を制限した箇所は像域情報で保持される。
【００４４】
ステップS92において、
トナーの載り量が越えた箇所を判定すると図１１に示す通りの像域情報が検出される。
【００４５】
ステップS94において、
トナーの載り量制限を越えた像域箇所を黒にしたプレビュー表示画像と白にしたプレビュー表示画像を数秒ごとに交互にプレビュー表示を行う。
【００４６】
（実施例３）
本実施例では、RGBレンダリングした結果とCMYKレンダリングした結果との差分から特徴部分を抽出し、その該当部分をプレビュー表示することを示す。
【００４７】
ステップS131において、
RGBレンダラで画像生成を行い、図１４に示すようなプレビュー表示用の画像をHDD等の記憶装置に格納する。
【００４８】
ステップS132において、
CMYKレンダリングで画像生成を行う。
【００４９】
ステップS133において、
ステップS132で生成した図15に示すようなCMYKレンダリング画像からRGB変換を行って図１６に示すようなプレビュー画像をHDD等の記憶装置に格納する。
【００５０】
ステップS134において、
前記HDD等の記憶装置に保持したRGBプレビュー画像とCMYKからRGB変換したプレビュー画像との画像比較を行う。
【００５１】
ステップS135において、
ピクセル画像のRGB画素値がある閾値以上異なるかどうか判定する。
【００５２】
図１７に示すような差があった場合は、
ステップS136において、
該当部分の大きさに応じて特徴部分と判定し、その部分のプレビュー表示を行う。
【００５３】
図１８に示す通りRGBプレビュー画像とCMYKからRGB変換したプレビュー画像を数秒間ごとに交互に表示し、その差分箇所が明らかになる制御を行う。
【符号の説明】
【００５４】
1500  プリンタ
1501  操作部
3000  ホストコンピュータ
【図１】
2011088364.tif 000003
【図２】
2011088364.tif 000004
【図３】
2011088364.tif 000005
【図４】
2011088364.tif 000006
【図５】
2011088364.tif 000007
【図６】
2011088364.tif 000008
【図７】
2011088364.tif 000009
【図８】
2011088364.tif 000010
【図９】
2011088364.tif 000011
【図１０】
2011088364.tif 000012
【図１１】
2011088364.tif 000013
【図１２】
2011088364.tif 000014
【図１３】
2011088364.tif 000015
【図１４】
2011088364.tif 000016
【図１５】
2011088364.tif 000017
【図１６】
2011088364.tif 000018
【図１７】
2011088364.tif 000019
【図１８】
2011088364.tif 000020